(57)【要約】【課題】手提げ部７の上端に形成されるヒートシール部６の縦幅を一定以上の長さにすることにより、使用後のレジ袋１を再利用の為にシート状のコンパクト形状に折畳む作業性の向上を図る。【解決手段】レジ袋１は合成樹脂製薄片を材料とし、有底袋体本体２の上端には中央に結び片３を備えた逆Ｍ状の切縁４を対設して内側に商品出入口を形成している。手提げ片５は、有底袋体本体２の上端左右両側より連続的に上方に延設され、対向する位置の手提げ片５、５の上端は、縦幅が１．５ｃｍを超えて５．０ｃｍ以下のヒートシール部６により接続されて形成されている。【選択図】図１
0003132291.tif 000002
【実用新案登録請求の範囲】
【請求項１】
柔軟性を有する薄片よりなり上方を開放した有底袋体本体の上端縁左右両側に１対の手提げ部を設けたレジ袋において、
前記手提げ部の上端部には、縦幅が１．５ｃｍを越えて５．０センチ以下の一定縦幅のヒートシール部を横方向に帯状に設けたことを特徴とするレジ袋。
【考案の詳細な説明】
【技術分野】
【０００１】  本考案は、例えばスーパーマーケットやコンビニエンスストア等で清算後の商品を収納し持ち帰るための手提げ式レジ袋に関し、更に詳しくは、使用済みのレジ袋の手提げ部を極めて容易に展延復元可能にしてレジ袋をシート状にコンパクトに折り畳み可能にしたことに特徴を有するレジ袋に関する。
【背景技術】
【０００２】  レジ袋は、店側にとっては万引き予防のために、消費者側にとっては気軽に商品を持ち帰りが可能なように創案されたものである。例えば、特許文献１又は特許文献２に開示されているように、ポリエチレン等の合成樹脂製薄片を材料とし、上方を開放した有底袋体本体の上端縁左右両側には、対向する上端縁間に架設した左右１対の手提げ部を設けたものが一般的である。前記従来のレジ袋は、円筒状合成樹脂製薄片を長さ方向に所定長さに切断後、円筒状合成樹脂性薄片の左右両側を内方に折り込み、且つ内面を密接して２つ折のシート状にし、下端縁をヒートシール加工により閉塞して左右両側にガゼットを具備した有底袋体本体を形成し、上部は中央部を略矩形状に切欠いて商品出入口にし左右両側はＪ状の切縁を設けて該Ｊ状切縁と商品出入口の切縁とで上下に重合する手提げ片を左右に対設し、上下に重合する手提げ片の上端縁をヒートシール加工により接続して左右１対の手提げ部を、有底袋体本体の上端間を架け渡して形成するものである。手提げ部上端のヒートシール部は、商品を入れたレジ袋が商品の重量で剥離しない程度の接続強度を有する必要があるため、縦幅が約３ｍｍ程度の横方向に延びる幅狭な帯状に形成されている。このような構成の従来のレジ袋は使用後、商品の重量で手提げ部にヒートシール部を中心として多数の縦皺が形成され、収納した商品重量に略比例して手提げ部が紐状になる。
ところで、近年、化石燃料の消費量削減やごみ問題等の環境問題の見地より、各自治体はレジ袋の有料化或いは店側のレジ袋使用禁止の条例を制定する方向へと動いているのが現状である。この条例に従うべく、上記従来の一般的なレジ袋を、使用後に再利用の携帯目的で、紙幣入れ等に収納可能なシート状のコンパクト形状に折畳もうとすると、ヒートシール部に形成された多数の縦皺の皺伸ばし作業をする必要性がある。この皺伸ばし作業は、手提げ部を均すためにヒートシール部やヒートシール部近傍に幾度も指を横方向に這わせて力を作用させなければならず、時間を要し面倒であるという問題点があった。
【特許文献１】特開２００６−１３１２５０号公報
【特許文献２】特開２００６−１４１９０７号公報
【考案の開示】
【考案が解決しようとする課題】
【０００３】  本願考案は上記諸事情に鑑みて創案されたもので、手提げ部上端に形成されるヒートシール部の縦幅を一定以上の長さにすることにより、ヒートシール部に硬度を有させて縦皺形成量を著しく減少させ、又、ヒートシール部に定型性保持能力を有させることにより、縦皺伸ばし作業の向上を図り得るレジ袋を提供することを目的とする。
【課題を解決するための手段】
【０００４】  本願考案のうち請求項１記載の考案は、柔軟性を有する薄片よりなり上方を開放した有底袋体本体の上端縁左右両側に１対の手提げ部を設けたレジ袋において、前記手提げ部の上端部には、縦幅が１．５ｃｍを超えて５．０ｃｍ以下の一定縦幅のヒートシール部を横方向に帯状に設けたことを特徴とする。
【考案の効果】
【０００５】  本願考案のレジ袋は、手提げ部の上端部に縦幅が１．５ｃｍを越えて５．０ｃｍ以下の一定縦幅のヒートシール部を横方向に帯状に設けたので、使用により最も縦皺の形成され易い手提げ部上端部に縦皺が形成されにくいという効果がある。
又、ヒートシール部は合成樹脂が溶着後に冷却固化しているため、ある程度の硬度を有し、それゆえ指先でヒートシール部近傍を横方向に一度程度這わせる程度の作業で、手提げ部がシート状に展延され、皺延ばし作業が極めて容易にでき、その後のシート状に折畳む作業が短時間で容易にできるという効果がある。
【考案の実施するための最良の形態】
【０００６】  レジ袋の使用後に付いた手提げ部上端の縦皺を延ばす作業を極めて短時間で行うことを可能にし、その後のレジ袋をシート状にコンパクトに折畳む作業を簡便化するという目的を、手提げ部の上端部に他の部分よりも硬度を有する部分を、縦幅を所定幅の横方向に延びる帯状することで実現した。
【実施例１】
【０００７】  図１は本考案レジ袋の一部切欠正面図、図２は図１のＡ−Ａ線断面図、図３はシート状に折畳んだレジ袋を収納容器に収納した状態を示す説明図である。
これらの図において、レジ袋１はポリプロピレンやポリエチレン等の合成樹脂製薄片を材料とし、有底袋体本体２の上端には中央に結び片３を備えた逆Ｍ状の切縁４を対設して商品出入口を形成している。手提げ片５は、有底袋体本体２の上端左右両側より連続的に上方に延設され、対向する位置の手提げ片５、５の上端は、ヒートシール加工により加熱溶着接続され、有底袋体本体２の上端間を架け渡された１対の手提げ部７をなしている。ヒートシール部６は、縦幅が１．５ｃｍを超えて５．０ｃｍ以下の横方向に延びる帯状に形成されている。【０００８】  次に作用について説明する。合成樹脂製薄片よりなる手提げ片５、５の上端は、ヒートシール加工により材料の合成樹脂を加熱溶着接続して１本の連続した手提げ部７を形成している。すなわち、ヒートシール部６は手提げ片５、５の上端を加熱溶融後、常温下に放置して放熱冷却させ固化させているため、ヒートシール部６の合成樹脂が横方向に延びる帯状に硬度を有して一体的に成型され、ヒートシール部６に皺が形成されにくくなる。又、ヒートシール部６が、横方向に延びる所定硬度を有する扁平な帯状に成型されているため、たとえヒートシール部６に縦皺が形成されても、合成樹脂の弾性復元力により僅かな横方向への力により扁平帯状に復元され、使用後のレジ袋１の手提げ部７に形成された縦皺を展延し易く、シート状のコンパクト形状に容易に折畳み可能である。例えば、図３に示すように、紙幣入れと同様な形状に形成されたレジ袋収納容器８内に、使用後のレジ袋１を再利用の為にコンパクトに折畳んで複数枚を重ねて収納可能で、日常的に携帯可能であり、予期しない買い物でもレジ袋を即座に用意可能であるという効果がある。
【図面の簡単な説明】
【０００９】
【図１】レジ袋の一部切欠正面図である。（実施例１）
【図２】図１のＡ−Ａ線断面図である。（実施例１）
【図３】シート状に折畳んだレジ袋を収納容器に収納した状態を示す説明図である。（実施例１）
【符号の説明】
【００１０】  １  レジ袋
２  有底袋体本体
６  ヒートシール部
７  手提げ部
【図１】
0003132291.tif 000003
【図２】
0003132291.tif 000004
【図３】
0003132291.tif 000005